(57)【特許請求の範囲】
【請求項１】
過電流が流れたとき可動鉄心を吸引する電磁コイルと、操作ハンドルによりオン・オフする主接点と、その主接点がオン状態において上記可動鉄心が吸引されたとき主接点を強制的にオフに戻す掛け外し機構が左右方向に所定の厚みを持つ扁平な方形の主ハウジング内に収容された回路遮断器において、上記主ハウジングの上下側方へ導出され、その外側に主端子が設けられた２個のリード金具と、上記主ハウジングの後部外周に隣接し、かつ、上記主ハウジングの後部空間に連通する上下の補助端子導出部が形成された補助ハウジングと、プリント配線基板の両端に補助端子が実装され中央に上記主接点の可動接点と係合するマイクロスイッチが実装されて所定のプリント配線が施された補助接点回路部を設け、上記補助ハウジングは左右方向の厚みが上記主ハウジングの厚みと相等しく、上下両端部が前方へ突出した扁平なコ字形であり、この補助ハウジングの上下の前方突出部に上記主端子が設けられ、補助ハウジングの上記主端子より後方の上下側壁の外に上記補助端子が設けられたことを特徴とする回路遮断器。
【請求項２】
上記補助ハウジングの上記補助端子導出部の前後両側に係止孔が形成され、この係止孔に上記補助端子を被う補助端子台が装着されている、請求項１に記載の回路遮断器。
【発明の詳細な説明】
【０００１】
【産業上の利用分野】
本発明は、電気回路に過大電流が流れたとき事故を未然に防ぐために瞬時に回路を遮断する回路遮断器（サーキット・プロテクタ）に関し、特に、補助接点回路付きの回路遮断器に関する。
【０００２】
【従来の技術】
回路遮断器は、例えば図６に示すように、過電流が流れたとき可動鉄心を吸引する電磁コイル１と、操作ハンドル３によりオン・オフする主接点２と、その主接点がオン状態において上記可動鉄心が吸引されたとき可動鉄片の駆動により作動し主接点を強制的に（ばねの復元力により）オフに戻す掛け外し機構（トリップ）４を有し、通常は電磁コイル１と主接点２が直列接続されて二端子回路を構成し、その主端子６、７は操作ハンドル３を正面としたときの背面５に突出している。
【０００３】
この回路遮断器のオンオフと連動してスイッチングする補助接点回路を付加するときは、回路遮断器の後部にマイクロスイッチ８を付設し、３本の補助端子（Ｃ，ＮＯ，ＮＣ）９‥‥９が主端子６、７と平行に後方へ突出した構造となる。
【０００４】
この従来例を使用するときは主端子６、７をソケットに挿入し、マイクロスイッチ８の端子にはリード線を接続し、回路遮断器の外れ防止用取付ばねを設けていた。従って、ソケットおよび回路遮断器のソケットからの脱離防止用固定装置を必要とする欠点があり、また、主端子挿入方式のため前後方向の奥行き寸法が大きくなるという欠点があった。さらにマイクロスイッチ８が背後に露出しており、外力を受けて破損するおそれがあった。従って、ソケットおよびソケット固定装置を必要とする欠点があり、前後方向の奥行き寸法が大きくなるという欠点があった。
【０００５】
【発明が解決しようとする課題】
これに対し本発明は、背面に突出するプラグ状外部端子をなくし、その結果ソケットが不要となり、図２に例示した両回路に対し共通した主ハウジングと補助ハウジングを用いることによりハウジング成形用の金型を共通化し、全体として製造コストを大幅に低減するとともに前後方向の寸法を短小化した回路遮断器の提供を解決課題とする。
【０００６】
【課題を解決するための手段】
本発明の回路遮断器は、過電流が流れたとき可動鉄心を吸引する電磁コイルと、操作ハンドルによりオン・オフする主接点と、その主接点がオン状態において上記可動鉄心が吸引されたとき主接点を強制的にオフに戻す掛け外し機構が左右方向に所定の厚みを持つ扁平な方形の主ハウジング内に収容された回路遮断器において、上記主ハウジングの上下側方へ導出され、その外側に主端子が設けられた２個のリード金具と、上記主ハウジングの後部外周に隣接し、かつ、上記主ハウジングの後部空間に連通する上下の補助端子導出部が形成された補助ハウジングと、プリント配線基板の両端に補助端子が実装され中央に上記主接点の可動接点と係合するマイクロスイッチが実装されて所定のプリント配線が施された補助接点回路部を設け、上記補助ハウジングは左右方向の厚みが上記主ハウジングの厚みと相等しく、上下両端部が前方へ突出した扁平なコ字形であり、この補助ハウジングの上下の前方突出部に上記主端子が設けられ、補助ハウジングの上記主端子より後方の上下側壁の外に上記補助端子が設けられたことを特徴とする。
【０００７】
本発明の補助接点回路部は、横幅が補助ハウジングの厚さ（ｔ）よりも小さくて補助ハウジング内に収容され、両端部が補助ハウジングの上下両端から外部へ突出した、全体として細長い長方形のプリント配線基板と、その基板中央に実装されたマイクロスイッチと、その基板の両端部に実装された補助端子と、マイクロスイッチの端子と補助端子を接続するプリント配線を具備するものであることが好ましい。
【０００８】
【作用】
主端子がコ字形補助ハウジングの両側部に設けられ、補助端子が主端子よりも背後において補助ハウジングの両側壁で支持されているので、補助ハウジングが端子を支えるための端子台を兼用している。
【０００９】
【実施例】
図１に本発明実施例のハウジングの一部を外し、一部を切り欠いた状態の右側面図を示し、図２に正面図を示し、図３に、平面図を示し、図５にその分解図を示す。
【００１０】
主ハウジング１０は全体として扁平な方形であって、図２に示すように、厚み方向の中央で１０Ａ、１０Ｂに二分割され、前面に操作ハンドル３が設けられ、電磁コイル、主接点、掛け外し機構等を内蔵している。従来技術と異る特徴点は、電磁コイルと主接点の直列回路の二端子を外部へ導出するリード金具１２、１３が背後へ突出せず、クランク状に屈折して主ハウジング１０の上下両側方へ導出されていることである。
【００１１】
補助ハウジング１１は、主ハウジング１０の背部外周に隣接して密着し、全体として扁平なコ字形である。主ハウジング１０と補助ハウジング１１の厚みは、図３に示すように等しく、補助ハウジング１１も主ハウジング１０と同様に厚み方向中央で１１Ａ、１１Ｂに二分割される。この補助ハウジングの上下両側の前部に主端子台１４、１５が形成され、この主端子台１４，１５に上記リード金具１２，１３の先端に設けられた主端子１６，１７が設けられるとともに端子ねじが配設される。また、補助ハウジング１１の後部の上下両側壁には、補助回路基板１８を挾持するための開口部１９Ａ、１９Ｂと、その開口部１９Ａ、１９Ｂの前後両側に設けられた係止孔２１Ａ、２２Ａおよび２１Ｂ、２２Ｂが形成されている。
【００１２】
補助接点回路部は、図４に示すように、細長い長方形のプリント配線基板１８の中央にマイクロスイッチ２３が実装されて、その端子（Ｃ，ＮＯ，ＮＣ）がプリント配線に半田付けされ、基板両端部に補助端子２４、２４が実装され、マイクロスイッチ２３の端子と補助端子２４‥‥２４はプリント配線により接続されている。基板１８はその両端部が補助ハウジング１１により挾持され、補助端子２４、２４は補助端子台２０Ａ、２０Ｂにより包まれ保護される。
【００１３】
補助端子２４は、中央にバーリング加工によりねじ部が刻設された受台２６と、その受台２６の外側から後方へ直角に屈折し、その先端が内側へ屈曲して基板１８の先端背面にかかる外支持部２７と、受台２６の内側から後方へ直角に屈折し、基板１８の前面に当接する内支持部２８により形成され、内支持部２８には突出部２９が形成されており、この突出部２９が基板１８の係止孔に挿入されて基板と半田付けされている。
【００１４】
補助端子台２０は、プラスチックにより一体成形されたもので、その横幅長は主ハウジング１０および補助ハウジング１１の横幅長と等しく、内面に係止爪３０、３１が形成されており、この係止爪３０、３１が補助ハウジング１１の外側壁に形成された係止孔２１Ａ、２２Ａまたは２１Ｂ、２２Ｂに嵌合する。
【００１５】
図５に上記実施例の分解図を示す。この図は、組立て工程を示している。主ハウジング１０の後部のマイクロスイッチ２３は掛け外し機構と係合している。この状態でプリント配線基板１８が取付けられてマイクロスイッチ２３のリード端子が基板１８に半田付けされる。次に、補助端子２４、２４に補助端子台２０Ａ、２０Ｂが取付けられ、最後に、補助ハウジング１１（Ａ、Ｂ）が左右両側から挟み付けられて、主端子１６、１７、基板１８、補助端子台２０Ａ、２０Ｂを挾持係合する。
【００１６】
【発明の効果】
本発明は、主ハウジングの後方に隣接して略コ字形の補助ハウジングを設け、主ハウジングの後部空間と補助ハウジング内空間を連通させ、補助ハウジングの後部にプリント配線基板を設けてその両端を補助ハウジングの上下両壁から突出させてその突出部分に補助端子を設け、補助ハウジングの前部に主端子を設ける構成としたので、従来の主ハウジングとその機構をそのまま活用しながら、従来のソケットが不要となり、端子がハウンジングの上下両側方へ導出されるので、前後方向の寸法が短小化された。また、マイクロスイッチがプリント配線基板に実装されて主ハウジング後方空間に収容されるので、従来のようにマイクロスイッチが外部衝撃により破損するおそれがなくなり、信頼性が向上した。
【００１７】
さらに、補助ハウジングの前部上下に主端子が設けられ、後部上下に補助端子が設けられているので、主端子および補助端子にリード線を接続する配線作業を、すべて前方から行うことができ、作業性が向上した。
【００１８】
またさらに、本発明の補助接点回路部は、プリント配線基板の両端部の孔に、補助端子２４の内支持部２８の突出部２９を挿入し、プリント配線基板の導電層と半田付けする構成としたので、補助端子２４がマイクロスイッチの端子と電気的に接続されるとともに、機械的にも、端子台として大層堅牢なものが得られる。
【図面の簡単な説明】
【図１】は、本発明実施例の右側面図の一部切欠図である。
【図２】は、上記実施例の正面図である。
【図３】は、上記実施例の平面図である。
【図４】は、上記実施例の補助接点回路部を示す右側面図である。
【図５】は、上記実施例の右側面図の分解図である。
【図６】は、従来例のハウジングを切欠いた右側面図である。
【符号の説明】
１‥‥電磁コイル
２‥‥主接点
３‥‥操作ハンドル
６、７‥‥主端子
１０‥‥主ハウジング
１１‥‥補助ハウジング
１２、１３‥‥主端子用リード金具
１４、１５‥‥主端子台
１６、１７‥‥主端子
１８‥‥補助回路基板
２０（Ａ、Ｂ）‥‥補助端子台
２３‥‥マイクロスイッチ
２４‥‥補助端子
【図１】
0003802578.tif 000002
【図２】
0003802578.tif 000003
【図３】
0003802578.tif 000004
【図４】
0003802578.tif 000005
【図５】
0003802578.tif 000006
【図６】
0003802578.tif 000007